(57)【特許請求の範囲】
【請求項１】
複数の模様の形象群の中から、所望の割出し形象を回動操作で選択する選択ダイヤルと、
該選択ダイヤルの回動操作に応じて回転し、縫針揺動装置に連結している接触子が所望の該割出し形象に対応する模様カムを選択する際の該接触子の位置を割出す割出し手段と、
該選択ダイヤルの回動を該割出し手段に伝える駆動歯車と、
該駆動歯車と内接する内歯をもち、かつ該割出し手段で割出される各割出し位置に対応する該割出し形象が外周面に周方向に配列された形象内歯歯車と、
をもつ多模様縫いミシンの位置割出し選択装置であって、
前記形象内歯歯車は前記内歯と内接する前記駆動歯車との噛合い部分を中心として揺動方向に調節できる軸受け部によって支承されていることを特徴とする多模様縫いミシンの位置割出し選択装置。
【請求項２】
前記形象内歯歯車の前記割出し形象は、前記多模様縫いミシンの模様を表し、該多模様縫いミシンの操作パネルの開口より視認できるものであることを特徴とする請求項１記載の多模様縫いミシンの位置割出し選択装置。
【請求項３】
前記選択ダイヤルは、前記多模様縫いミシンの機枠に固定されている取付板に回転可能に保持されているダイヤル軸の一端部に固着され、該ダイヤル軸の中間部分には選択カムの歯車部と噛合する前記駆動歯車が固着され、
前記選択ダイヤルと前記駆動歯車との回転動作は前記ダイヤル軸を介して直結した構成となっていることを特徴とする請求項１記載の多模様縫いミシンの位置割出し選択装置。
【請求項４】
前記割出し手段は、前記駆動歯車に噛合する歯車部をもつカム体であり、該歯車部の歯数と前記形象内歯歯車の歯数とは１対１に設定されることを特徴とする請求項１記載の多模様縫いミシンの位置割出し選択装置。
【発明の詳細な説明】
【０００１】
【発明の属する技術分野】
本発明は、選択ダイヤルの回動操作により縫目模様に対応する模様カムを割出して模様縫いを行うミシン等に使用する位置割出し選択装置に関する。
【０００２】
【従来の技術】
この種の装置の従来技術として、実公昭６３−２１２５０号公報あるいは実公平成１−２３４２７号公報がある。これら公報に記載のものは、選択ダイヤルの回動が、遊星歯車列を利用した減速歯車機構により所定比率分に減速されて選択カム軸に伝達されるように構成され、選択カム軸の回動は等速で模様表示板に伝達される。選択カムの位相（位置）により接触子が模様カムに接触され、模様カムの模様が縫製される。模様の選択操作は、模様表示板上に表記された模様の形象群の内から、所望の形象が指針の位置に来るように選択ダイヤルを回動する。
【０００３】
このような減速歯車機構を介して模様カムを選択する構成では、模様の形象の表記に合わせて選択ダイヤルの大きさを設定する必要がないことから、選択ダイヤルを操作に適した大きさにでき、かつ選択模様の視認性が良好になる。
【０００４】
【発明が解決しようとする課題】
しかしながら、上記従来技術の減速歯車機構は、３つの遊星歯車、駆動歯車等々部品点数が多く、組付け工程が複雑かつ、模様表示板に表記された模様の形象と指針と選択カムのカム面が一致するように各歯車の位相を合わせて組付けなければならず、高い部品精度が要求され、コスト高となる。
【０００５】
また、組付けた結果、形象と指針との間に生じた誤差や各歯車のバックラッシュの調整機構は設けられておらず、選択模様の視認性に劣る。
本発明は、選択ダイヤルの回動を減速して選択カム軸に伝達する減速歯車機構を簡略化すると共に、部品精度や歯車同士の噛合いバックラッシュによる形象と指針とのずれの調整を可能とする位置割出し選択装置を提供することを解決すべき課題とする。
【０００６】
【課題を解決するための手段】
上記課題を解決すべく本発明の発明者等は種々検討を重ね、選択カム（割出し手段）を駆動するための駆動歯車を内接する内歯歯車を設け、該内歯歯車の外周面に、選択カムで割出される各割出し位置に対応する割出し形象を表記することにより、問題を解決できると考えた。
【０００７】
すなわち、請求項１に記載の発明は、複数の模様の形象群の中から、所望の割出し形象を回動操作で選択する選択ダイヤルと、該選択ダイヤルの回動操作に応じて回転し、縫針揺動装置に連結している接触子が所望の該割出し形象に対応する模様カムを選択する際の該接触子の位置を割出す割出し手段と、該割出し手段を駆動する駆動歯車と、該駆動歯車と内接する内歯をもち、かつ該割出し手段で割出される各割出し位置に対応する該割出し形象が外周面に周方向に配列された形象内歯歯車と、をもつ多模様縫いミシンの位置割出し選択装置であって、前記形象内歯歯車は前記内歯と内接する前記駆動歯車との噛合い部分を中心として揺動方向に調節できる軸受け部によって支承したものである。
【０００８】
（作用）
選択ダイヤルを回動操作すると駆動歯車が回転し割出し手段（選択カム）を駆動する。割出し手段は、回転して縫針揺動装置に連結している接触子が所望の割出し形象に対応する模様カムを選択する際の接触子の位置を割出すもので、割出し位置で接触子を作動させる。割出し手段を駆動する駆動歯車から形象内歯歯車への伝達系は減速歯車機構を構成し、選択ダイヤルの回動操作によって形象内歯歯車も回転し、割出し位置を形象によって選択する。
【０００９】
形象内歯歯車は、軸受け部によって駆動歯車との噛合い部分を中心に揺動でき、外周面の割出し形象を指針の位置に調節することができる。
請求項２の発明は、前記形象内歯歯車の前記割出し形象が、前記多模様縫いミシンの模様を表し、該多模様縫いミシンの操作パネルの開口より視認できるものであることを特徴とする。形象内歯車に表記された割出し形象を視認できるから、該割出し形象が割出し位置とずれている場合に、前記軸受け部の調整によってそのずれを補正することができる。
【００１０】
請求項３の発明は、前記選択ダイヤルは、前記多模様縫いミシンの機枠に固定されている取付板に回転可能に保持されているダイヤル軸の一端部に固着され、該ダイヤル軸の中間部分には選択カムの歯車部と噛合する前記駆動歯車が固着され、前記選択ダイヤルと前記駆動歯車との回転動作は前記ダイヤル軸を介して直結していることを特徴とし、前記選択ダイヤルの回動を形象内歯歯車に伝達する前記減速歯車機構を前記駆動歯車と前記形象内歯歯車との簡潔な構成によって実現する。
請求項４の発明は、前記割出し手段が、前記駆動歯車に噛合する歯車部をもつカム体であり、該歯車部の歯数と前記形象内歯歯車の歯数とは１対１に設定されることを特徴とする。このことは、前記割出し手段の割出し位置と形象内歯歯車の位相とを容易に１対１に対応させることができる。
【００１１】
【発明の実施の形態】
本発明は、縫い模様に対応した各カム形状を有する模様カム群と、該模様カム群中の１つのカムに接触したとき該カムのカム形状に応じた揺動運動を針棒に行わせる接触子と、該接触子を割出し位置で前記模様カムの１つに接触させる割出し手段としての選択カムとを有する多模様縫いミシンに適用することができ、該選択カムを回動操作により作動させる割出し位置選択駆動手段が以下の構成からなる。
【００１２】
すなわち、割出し位置選択駆動手段は、回動操作される選択ダイヤルと、該選択ダイヤルにダイヤル軸を介して直結し該回動操作に応じて回転して前記選択カムを駆動する駆動歯車と、該駆動歯車の外径より大きな内径の内歯をもつ筒体で、その外周面に周方向に沿って該模様の形象がそれぞれ表記されると共に該駆動歯車を該内歯に内接し、該駆動歯車の回転により定位置で自転して該割出し形象を操作パネルの開口より視認させる模様表示体としての形象内歯歯車とを具備する。
【００１３】
前記形象内歯歯車は、軸受け部によって駆動歯車との噛合い部分を中心に揺動でき、外周面の割出し形象を指針の位置に調節することができる。
前記選択ダイヤルは前記駆動歯車と直結し、該駆動歯車は選択カムの歯車部及び形象内歯歯車にそれぞれ噛合している。
本発明の多模様縫いミシンの位置割出し選択装置は、ミシン以外の工作機械に採用することができる。
【００１４】
【実施例】
以下、図１乃至図６に示す一実施例によって本発明を更に詳細に説明する。
図１及び図２において、多模様縫いミシンの位置割出し選択装置１は、図示しないミシン機枠に固定される取付板２に構成される。取付板２には、選択カム軸３、接触子支持軸４及び模様カム軸５がそれぞれ平行に固定される。各軸の内、模様カム軸５には針棒の揺動位置を制御するための複数のカム板からなる模様カム群６と歯車７とが同一位相を保持するように支持されている。歯車７は上軸８に固着された減速歯車９に噛合しており、模様カム群６と歯車７とは上軸８の回転に連動して減速回転する。
【００１５】
接触子支持軸４は選択カム軸３と模様カム軸５との間に配設され、模様カム群６の１つに接触させる複数の接触子群１０が回動自在に支持されると共にレリーズ接触子１１が接触子群１０と係合可能に固着される。
選択カム軸３には割出し手段を構成する選択カム１２が接触子群１０の直下に固着される。選択カム１２はそのカム形状によって割出した位置の接触子群１０の１乃至複数を対応する前記模様カム群６に接触させる。接触子群１０は、それぞれ図示しない周知の縫針揺動装置に連結されており、模様カム群６のうち選択された１乃至複数のカムで決定される模様に応じて縫針を揺動させる。
【００１６】
上記取付板２には、選択カム１２の割出す位置を決定する割出し位置選択駆動手段も構成される。割出し位置選択駆動手段は、図１〜図３に示すように選択カム軸３と交差するダイヤル軸１３と、該ダイヤル軸１３の中間にネジ１４によって固着され選択カム１２の端面に形成された歯車部１２Ａに噛合う駆動歯車１５と、該駆動歯車１５を内接する内歯１６Ａをもちかつ、選択カム１２で割出される各割出し位置に対応する割出し形象１６Ｂが外周面に周方向に配列された形象内歯歯車１６と、該形象内歯歯車１６を回転自在に支承する軸受け部としての保持片１７と、ダイヤル軸１３の端部に取付けられミシン機枠に一体化された操作パネル部１８の外側より回動操作する選択ダイヤル１９とから構成される。
【００１７】
上記保持片１７は、内歯１６Ａより軸方向に深い位置の内歯内周面１６Ｃに摺接する３又に延びた周状受け面１７Ａをもち、図４に示すように取付板２に形成された長孔２Ａ内を挿通するネジ２０によって取付板２に締着される。周状受け面１７Ａはネジ２０を支承点とする形象内歯歯車１６の回転が円滑に行われるように形成する。長孔２Ａはダイヤル軸１３、つまり駆動歯車１５と内歯１６Ａとの噛合い部分を中心に円弧状に形成されると共に、ネジ２０とダイヤル軸１３との距離Ｐを微調整することができる。また、保持片１７は、形象内歯歯車１６の前記内歯内周面１６Ｃより径大の内周面１６Ｄにリブ１７Ｂが延びて形象内歯歯車１６との軸方向の位置が規制される。
【００１８】
また、上記形象内歯歯車１６の外周面は、図５に示すように、操作パネル１８の凹部２１に指針２２を印字した化粧板２３の開口２３Ａに位置している。
本実施例は上述のごとき構成を有するものであり、以下動作について説明する。  模様の選択、すなわち位置を割出すには、形象内歯歯車１６に表記された割出し形象１６Ｂの中から希望するものが指針２２の位置に来るように選択ダイヤル１９を操作する。選択ダイヤル１９を回動すると、駆動歯車１５が回転し選択カム１２及び形象内歯歯車１６が回転する。
【００１９】
選択カム１９が回転すると、レリーズ接触子１１が割出し位置毎に図２で接触子支持軸４を中心に左方向に揺動し、指針２２に合わせた割出し形象１６Ｂの模様に対応した１乃至複数の接触子の位置が選択カム１２で次々と割出され、その１乃至複数の接触子が模様カム群６の対応するカム面に係合し、指針２２に合わせた形象の模様を縫製することができる。
【００２０】
本実施例では、保持片１７を締着したネジ２０をゆるめ、保持片１７とダイヤル軸１３との距離Ｐ（図４に図示）を調節することにより、駆動歯車１５と形象内歯歯車１６とが噛合したバックラッシによる指針２２と割出し形象１６Ｂとの位置ずれを補正することができる。また、図６に示すように、ネジ２０の位置を長孔２Ａ上で調節し、保持片１７を揺動させることにより、部品精度に起因した指針２２と割出し形象１６Ｂとの位置ずれを補正することができる。
【００２１】
更に本実施例では、選択ダイヤル１９は、図示しないミシンの機枠に固定されている取付板２に回転可能に保持されているダイヤル軸１３の一端部に固着され、ダイヤル軸１３の中間部分には選択カム１２の歯車部１２Ａと噛合する駆動歯車１５が固着され、選択ダイヤル１９と駆動歯車１５との回転動作はダイヤル軸１３を介して直結した構成となっていて、また、駆動歯車１５は形象内歯歯車１６の内歯１６Ａと噛合しているので、選択カム１２の回動を、駆動歯車１５と形象内歯歯車１６の簡単な減速歯車機構によって模様表示体（形象内歯歯車１６の外周面）回動に容易に合わせることができる。さらには、選択カム１２の歯車部１２Ａの歯数と形象内歯歯車１６の内歯１６Ａの歯数とを１対１に対応させれば、設計が容易になる
【００２２】
【発明の効果】
以上述べたように本発明によれば、選択ダイヤルによって駆動される駆動歯車を内接し、外周面の周方向に割出し位置の形象を表記した形象内歯歯車をもうけたので、前記駆動歯車と形象内歯歯車との噛合い調節を行う簡単な構成で、形象と指針とのずれを補正することができる。
【図面の簡単な説明】
【図１】  本発明をミシンに採用した一実施例の構成を示す説明図である。
【図２】  上記一実施例に係る位置割出し選択装置であって、図４のＢ−Ｂ線に沿う断面図である。
【図３】  図４の左側面図である。
【図４】  上記一実施例に係る位置割出し選択装置の正面図である。
【図５】  本位置割出し選択装置の表示部を示す正面図である。
【図６】  本発明の一実施例により指針と形象のずれを補正する方法を示す説明図であって、図３のＡ−Ａ線位置から見たものである。
【符号の説明】
１２は選択カム（割出し手段）、１５は駆動歯車、１９は選択ダイヤル、１６Ａは内歯、１６Ｂは割出し形象、１６は形象内歯歯車、１７は保持片（軸受け部）、２２は指針、２３Ａは開口である。
【図１】
0003807567.tif 000002
【図２】
0003807567.tif 000003
【図３】
0003807567.tif 000004
【図４】
0003807567.tif 000005
【図５】
0003807567.tif 000006
【図６】
0003807567.tif 000007